【事件の表示】
特許第２６８９８２１号「電子機器」の請求項１ないし８に係る特許に対する特許異議の申立てについて、次のとおり決定する。
【結論】
特許第２６８９８２１号の請求項１ないし８に係る特許を取り消す。
【理由】
Ｉ　手続きの経緯
　本件特許第２６８９８２１号は、その発明について、平成４年６月１１日に特許出願され、平成９年８月２９日に特許権の設定の登録がされたものであって、その後、その特許ついて、平成１０年６月１０日に特許異議の申立てがされ、これにより、当審における合議の結果、平成１０年８月１３日付けで取消理由が通知され、その明細書及び図面について、その指定期間内である平成１０年１１月２日に訂正の請求がされ、これに対して、更に、当審における合議の結果、平成１０年１１月２０日付けで訂正拒絶理由が通知され、その指定期間内である平成１１年２月９日に手続補正書（訂正請求書）が提出されたものである。
ＩＩ　訂正の適否
　１　訂正発明
　訂正明細書の請求項１に係る発明（以下、「訂正発明１」という。）は、前記手続補正書により補正された訂正明細書及び図面の記載からみて、その特許請求の範囲の請求項１に記載された次の事項により構成されるものである。
　「キーボードと、そのキーボードから入力された文字等を表示するディスプレイとを有する電子機器において、
　前記ディスプレイに、フォーマット設定画面を表示するフォーマット設定画面表示手段と、
　そのフォーマット設定画面表示手段により前記ディスプレイに表示されたフォーマットについての複数のパラメータの中から任意のパラメータを選択するパラメータ選択手段と、
　前記複数のパラメータの中の予め決めた１つのパラメータを記憶する記憶手段と、
　前記ディスプレイにフォーマット設定画面を表示している状態において、前記パラメータを前記予め決めたパラメータに設定する初期設定手段と、
　前記選択されたパラメータにもとづいてフォーマット設定を変更する登録キーと、
　フォーマット設定を変更しないでそのまま処理を終了するキャンセルキーとを有し、
　前記初期設定手段は、前記登録キーが操作された　ときにパラメータに何らかの変更がなされているか否かを判断して、変更がある場合には、フォーマット設定の書換えを行うことを特徴とする電子機器」
２　刊行物記載の発明
　（１）刊行物１
　当審における合議の結果通知した訂正拒絶理由に引用した刊行物１である特開昭６３−９８７６６号公報（昭和６３年４月３０日，特許庁発行）には、本件発明の表現を借りれば、次の事項により構成される発明（以下、「刊行物１記載の発明」という。）が記載されている。
　キーボード（キーボード５）と、そのキーボードから入力された文字及び複数の設定項目（第３図「１．Ｔｏｐ／Ｂｏｔｔｏｍ　ｍａｒｇｉｎｓ」，［２．Ｌｅｆｔ／Ｒｉｇｈｔ　ｍａｒｇｉｎｓ」，「３．Ｌｉｎｅ　ｓｐａｓｉｎｇ」及び「４．Ｃｈａｒａｃｔｅｒ　ｐｉｔｃｈ」ｅｔｃ）とその各設定項目についてパラメータ（前記設定項目の右の数値）を表示するディスプレイ（ディスプレイ７）とを有する電子機器（文書作成処理装置）において、
　前記ディスプレイに、複数の設定項目を持つフオーマツト設定画面（書式データ変更画面）について前記設定項目を複数個同時に表示する（第３図）フオーマット設定画面表示手段と、
　そのフオーマツト設定画面表示手段により前記ディスプレイに表示された複数の設定項目の中から任意の１つの設定項目を選択する項目選択手段（［カーソル］キー５４及び［リターン］キー５５）と、
　その項目選択手段により選択された設定項目について指定可能な複数のパラメータ（例えば、文字ピッチについては、１０文字／インチ，１２文字／インチ，１５文字／インチ）の中の任意のパラメータを数値入力するパラメータ指定手段（［数字］キー）と、
　前記各設定項目についてそれぞれ複数のパラメータの中の予め決めた１つのパラメータを記憶する記憶手段（初期値領域３３）と、
　前記ディスプレイにフオーマット設定画面を表示している状態（第３図。なお、この図から明らかなように、この状態は、“ディスプレイにパラメータを表示している状態”でもある。）において、前記ディスプレイ上で前記項目選択手段により選択した設定項目ごとに前記パラメータを前記予め決めたパラメータに設定する初期設定手段
（ＣＰＵ１）と、
　前記指定されたパラメータにもとづいてフォーマット設定を変更する登録キー（［リターン］キー５５）と、
　フォーマット設定処理を終了する復帰キー（［コントロール］キー５２）とを有し、
　前記初期設定手段は、前記登録キーが操作されたときに、フオーマット設定の書換えを行うことを特徴とする電子機器
　なお、前記において、（）括弧内は、刊行物１における表現である。
（２）刊行物２
　同じく引用した刊行物２である「ＥＰＳＯＮインクジェット漢字プリンタ　ＨＧ−２５００　ＥＳＣ／Ｐマニュアル」１９８６（昭和６１）年１０月，セイコーエプソン株式会社発行，ｐｐ．１０−１３には、本件発明の表現を借りれば、次の▲１▼〜▲２▼の技術事項が記載されている。
　▲１▼　パラメータ（機能内容）選択手段（［ＯＰＴＩＯＮ］スイッチ）の操作により各設定項目（機能項目）についての複数のパラメータをディスプレイ（表示部）に一部分づつ順次表示すること
　▲２▼　ディスプレイに表示されたフォーマット（書式）についての複数のパラメータの中から任意のパラメータを選択することによりパラメータの入力を行うこと
　　なお、前記において、（）括弧内は、刊行物２における表現である。
３　訂正発明１と刊行物１記載の発明との対比
　訂正発明１の「パラメータ選択手段」と刊行物１記載の発明の「パラメータ指定手段」及び訂正発明１の「キャンセルキー」と刊行物１記載の発明の「復帰キー」とは、それぞれ、“指定可能な複数のパラメータの中の任意のパラメータを入力するパラメータ入力手段”である点及び“フォーマット設定処理を終了する終了キー”である点で等価であるから、両者は、
　キーボードと、そのキーボードから入力された文字等を表示するディスプレイとを有する電子機器において、
前記ディスプレイに、フォーマット設定画面を表示するフォーマット設定画面表示手段と、
　指定可能な複数のパラメータの中の任意のパラメータを入力するパラメータ入力手段と、前記複数のパラメータの中の予め決めた１つのパラメータを記憶する記憶手段と、
　前記ディスプレイにフォーマット設定画面を表示している状態において、前記パラメータを前記予め決めたパラメータに設定する初期設定手段と、前記入力されたパラメータにもとづいてフォーマット設定を変更する登録キーと、
　フォーマット設定処理を終了する終了キーとを有し、
　前記初期設定手段は、前記登録キーが操作されたときにフォーマット設定の書換えを行うことを特徴とする電子機器
である点で一致し、次の３点で相違する。
　〈相違点〉
　（１）相違点１
　パラメータ入力手段が、訂正発明１では、ディスプレイに表示されたフオーマットについての複数のパラメータの中から任意のパラメータを選択するものであるのに対し、刊行物１記載の発明では、指定可能な複数のパラメータの中の任意のパラメータを数値入力するものである点
（２）相違点２
　終了キーが、訂正発明１では、フォーマット設定を変更しないでそのまま処理を終了するものであるのに対し、刊行物１記載の発明では、単に、フォーマット設定処理を終了するものである点
（３）相違点３
　初期設定手段が、訂正発明１では、登録キーが操作されたときにパラメータに何らかの変更がなされているか否かを判断して、変更がある場合には、フオーマット設定の書換えを行うものであるのに対し、刊行物１記載の発明では、登録キーが操作されたときにフオーマット設定の書換えを行うものではあるが、その書換えが、パラメータについての変更の有無の判断を受けて変更がある場合になされるものではない点
４　相違点についての検討
　（１）相違点１について
　ディスプレイに表示されたフオーマットについての複数のパラメータの中から任意のパラメータを選択することによりパラメータの入力を行うようにすることは、刊行物２に記載されている（前記ＩＩ２（２）▲２▼参照。）から、刊行物１記載の発明において、パラメータ入力手段を、ディスプレイに表示されたフォーマットについての複数のパラメータの中から任意のパラメータを選択するものとすることは、当業者が容易に想到実施し得たことである。
　よって、この相違点は、格別のものではない。
　（２）相違点２について
　（フォーマット設定画面表示手段によりディスプレイに表示されたフォーマットについての複数のパラメータの中から任意のパラメータを選択した後であっても）フォーマット設定を変更しないでそのまま処理を終了するようにすることは、本件出願前に当業者に周知である（これについて必要ならば、「一太郎Ｖｅｒ．４Ｊ−３１００［解説編］」１９９０（平成２）年６月２３日，株式会社ジャストシステム発行，ｐｐ．１７８−１７９，“【操作ポイント】項目の設定について”の項参照。）から、刊行物１記載の発明において、終了キーを、フォーマット設定を変更しないでそのまま処理を終了するものとすることは、当業者が必要に応じて適宜に為し得たことである。
　よって、この相違点も、格別のものではない。
（３）相違点３について
　フォーマット設定について、その設定内容に変更を加えて後登録する際に、その内容に変更があるか否かを判断し、変更がある場合には、フォーマット設定の書換えを行う手法、及び、そのような変更の有無をチェックすることなく（無条件に）書換えを行う手法のいずれも、本件出願前に当業者に周知である（前者について必要ならば、特開平２−１３５５１７号公報（平成２年５月２４日，特許庁発行），３頁左下欄４行〜７行参照。）から、刊行物１記載の発明において、初期設定手段を、登録キーが操作されたときにパラメータになんらかの変更がなされているか否かを判断して、変更がある場合には、フォーマット設定の書換えを行うものとすることは、当業者が任意に為し得たことである。
　よって、この相違点も、格別のものではない。
　５　独立特許要件
　したがって、訂正発明１は、当業者が刊行物１記載の発明に基づいて容易に発明をすることができたものであるから、特許法第２９条第２項の規定により特許出願の際独立して特許を受けることができないものである。
　６　訂正の認否
　以上のとおり、本件訂正は、特許法等の一部を改正する法律（平成６年法律第１１６号）附則第６条第１項の規定によりなお従前の例とされる、特許法第１２０条の４第３項において準用する同法第１２６条第４項の規定に適合しないものであるから、当該訂正は認めない。
ＩＩＩ　特許異議の申立てについての判断
　１　本件発明
　本件の請求項１ないし８に係る発明（以下、「本件発明１」ないし「本件発明８」という。）は、特許明細書及び図面の記載からみて、それぞれ、その特許請求の範囲の請求項１ないし８に記載された次の事項により構成されるものである。
　「【請求項１】　複数のパラメータを表示可能なデ　ィスプレイと、
　そのディスプレイに表示された前記複数のパラメータの中から任意のパラメータを選択するパラメータ選択手段と、
　前記複数のパラメータの中の予め決めた１つのパラメータを記憶する記憶手段と、
　前記ディスプレイに任意のパラメータを表示している状態において、前記パラメータを前記予め決めたパラメータに選択する初期設定手段とを有することを特徴とする電子機器
　【請求項２】　複数の設定項目とその各設定項目について複数のパラメータを表示可能なディスプレイと、
　そのディスプレイに表示された前記設定項目の中から任意の項目を選択する項目選択手段と、
　その項目選択手段における複数のパラメータの中から任意のパラメータを選択するパラメータ選択手段と、　
　前記各設定項目について複数のパラメータの中の予め決めた１つのパラメータを記憶する記憶手段と、
　前記ディスプレイに任意のパラメータを表示している状態において、前記パラメータを前記予め決めたパラメータに選択する初期設定手段とを有することを特徴とする電子機器
　【請求項３】　キーボードと、そのキーボードから入力された文字等を表示するディスプレイとを有する電子機器において、
　前記ディスプレイに、フォーマット設定画面を表示するフォーマット設定画面表示手段と、
　そのフォーマット設定画面表示手段により前記ディスプレイに表示されたフォーマットについての複数のパラメータの中から任意のパラメータを選択するパラメータ選択手段と、
　前記複数のパラメータの中の予め決めた１つのパラメータを記憶する記憶手段と、
　前記ディスプレイにフォーマット設定画面を表示している状態において、前記パラメータを前記予め決めたパラメータに設定する初期設定手段
　とを有することを特徴とする電子機器
　【請求項４】　キーボードと、そのキーボードから入力された文字等を表示するディスプレイとを有する電子機器において、
　前記ディスプレイに、複数の設定項目を持つフォーマット設定画面を表示するフォーマット設定画面表示手段と、
　そのフォーマット設定画面表示手段により前記ディスプレイに表示された複数の設定項目の中から１つの設定項目を選択する項目選択手段と、
　その項目選択手段により選択された設定項目について複数のパラメータの中から任意のパラメータを選択するパラメータ選択手段と、
　前記各設定項目についてそれぞれ複数のパラメータの中の予め決めた１つのパラメータを記憶する記憶手段と、
　前記ディスプレイにフォーマット設定画面を表示している状態において、前記パラメータを前記予め決めたパラメータに選択する初期設定手段
　とを有することを特徴とする電子機器
　【請求項５】　請求項１〜４のいずれかに記載の電子機器において、
　前記ディスプレイは、前記パラメータ選択手段の操作により複数のパラメータを一部分づつ順次表示することを特徴とする電子機器
　【請求項６】　請求項２または４に記載の電子機器において、
　前記ディスプレイは、前記設定項目を複数個同時に表示することを特徴とする電子機器
　【請求項７】　請求項２または４に記載の電子機器において、
　前記初期設定手段は、前記ディスプレイ上で前記項目選択手段により選択した項目ごとにパラメータを前記予め決めたパラメータに選択することを特徴とする電子機器
　【請求項８】　請求項３または請求項４に記載の電子機器において、さらに前記選択されたパラメータにもとづいてフォーマット設定を変更する登録キーを有することを特徴とする電子機器」
　なお、特許明細書及び図面の記載からみて、請求項２及び４における「選択項目」は、「設定項目」の明白な誤記と認められるので、本件発明２及び４については、前掲のとおり認定した。
　また、特許明細書及び図面の記載からみて、請求項２における「その項目選択手段における］は、「その項目選択手段により選択された設定項目について」と解するのが相当である。
２　刊行物記載の発明
　当審における合議の結果通知した取消理由に引用した刊行物１及び２については、それぞれ、前記ＩＩ２（１）及び（２）に認定のとおりである。
３　本件発明の特許性
　（１）本件発明１について
　本件発明１と刊行物１記載の発明とを対比すると、本件発明１の「パラメータ選択手段」と刊行物１記載の発明の「パラメータ指定手段」とは、“指定可能な複数のパラメータの中の任意のパラメータを入力するパラメータ入力手段”である点で等価であるから、両者は、
　パラメータを表示可能なディスプレイと、指定可能な複数のパラメータの中の任意のパラメータを入力するパラメータ入力手段と、
　前記複数のパラメータの中の予め決めた１つのパラメータを記憶する記憶手段と、
　前記ディスプレイにパラメータを表示している状態において、前記パラメータを前記予め決めたパラメータに選択する初期設定手段
　とを有することを特徴とする電子機器
である点で一致し、次の点で相違するものの、その他の構成には実質的な相違はない。
　〈相違点〉
　パラメータ入力手段が、訂正発明１では、ディスプレイに表示されたフオーマットについての複数のパラメータの中から任意のパラメータを選択するものであるのに対し、刊行物１記載の発明では、指定可能な複数のパラメータの中の任意のパラメータを数値入力するものである点
　よって、前記相違点について検討すると、前記ＩＩ４（１）に記したとおり、この相違点は、格別のものではない。
　したがって、本件発明１は、当業者が刊行物１記載の発明に基づいて容易に発明をすることができたものであるから、特許法第２９条第２項の規定により特許を受けることができないものである。
（２）本件発明２について
　本件発明２と刊行物１記載の発明とを対比すると、本件発明２の「パラメータ選択手段」と刊行物１記載の発明の「パラメータ指定手段」とは、“指定可能な複数のパラメータの中の任意のパラメータを入力するパラメータ入力手段”である点で等価であるから、両者は、
　複数の設定項目とその各設定項目についてのパラメータを表示可能なディスプレイと、
　そのディスプレイに表示された前記設定項目の中から任意の項目を選択する項目選択手段と、
　その項目選択手段により選択された設定項目について指定可能な複数のパラメータの中の任意のパラメータを入力するパラメータ入力手段と、
　前記各項目について複数のパラメータの中の予め決めた１つのパラメータを記憶する記憶手段と、
　前記ディスプレイにパラメータを表示している状態において、前記パラメータを前記予め決めたパラメータに選択する初期設定手段とを有することを特徴とする電子機器である点で一致し、次の点で相違するものの、その他の構成には実質的な相違はない。
　〈相違点〉
　パラメータ入力手段が、本件発明２では、ディスプレイに表示されたフオーマットについての複数のパラメータの中から任意のパラメータを選択するものであるのに対し、刊行物１記載の発明では、指定可能な複数のパラメータの中の任意のパラメータを数値入力するものである点
　よって、前記相違点について検討すると、前記ＩＩ４（１）に記したとおり、この相違点は、格別のものではない。
　したがって、本件発明２は、当業者が刊行物１記載の発明に基づいて容易に発明をすることができたものであるから、特許法第２９条第２項の規定により特許を受けることができないものである。
（３）本件発明３について
　本件発明３と刊行物１記載の発明とを対比すると、本件発明３の「パラメータ選択手段」と刊行物１記載の発明の「パラメータ指定手段」とは、“指定可能な複数のパラメータの中の任意のパラメータを入力するパラメータ入力手段”である点で等価であるから、両者は、
　キーボードと、そのキーボードから入力された文字等を表示するディスプレイとを有する電子機器において、
　前記ディスプレイに、フォーマット設定画面を表示するフォーマット設定画面表示手段と、
　指定可能な複数のパラメータの中の任意のパラメータを入力するパラメータ入力手段と、
　前記複数のパラメータの中の予め決めた１つのパラメータを記憶する記憶手段と、
　前記ディスプレイにフォーマット設定画面を表示している状態において、前記パラメータを前記予め決めたパラメータに選択する初期設定手段
　とを有することを特徴とする電子機器
である点で一致し、次の点で相違する。
　〈相違点〉
　パラメータ入力手段が、本件発明３では、ディスプレイに表示されたフオーマットについての複数のパラメータの中から任意のパラメータを選択するものであるのに対し、刊行物１記載の発明では、指定可能な複数のパラメータの中の任意のパラメータを数値入力するものである点
　よって、前記相違点について検討すると、前記ＩＩ４（１）に記したとおり、この相違点は、格別のものではない。
　したがって、本件発明３は、当業者が刊行物１記載の発明に基づいて容易に発明をすることができたものであるから、特許法第２９条第２項の規定により特許を受けることができないものである。
（４）本件発明４について
　本件発明４と刊行物１記載の発明とを対比すると、本件発明４の「パラメータ選択手段」と刊行物１記載の発明の「パラメータ指定手段」とは、“指定可能な複数のパラメータの中の任意のパラメータを入力するパラメータ入力手段”である点で等価であるから、両者は、
　キーボードと、そのキーボードから入力された文字等を表示するディスプレイとを有する電子機器において、
　前記ディスプレイに、複数の設定項目を持つフォーマット設定画面を表示するフォーマット設定画面表示手段と、
　そのフォーマット設定画面表示手段により前記ディスプレイに表示された複数の設定項目の中か　ら１つの設定項目を選択する項目選択手段と、
　その項目選択手段におり選択された設定項目について指定可能な複数のパラメータの中の任意のパラメータを入力するパラメータ入力手段と、
　前記各設定項目についてそれぞれ複数のパラメータの中の予め決めた１つのパラメータを記憶する記憶手段と、
　前記ディスプレイにフォーマット設定画面を表示している状態において、前記パラメータを前記予め決めたパラメータに選択する初期設定手段
　とを有することを特徴とする電子機器
である点で一致し、次の点で相違する。
　〈相違点〉
　パラメータ入力手段が、本件発明４では、ディスプレイに表示されたフオーマットについての複数のパラメータの中から任意のパラメータを選択するものであるのに対し、刊行物１記載の発明では、指定可能な複数のパラメータの中の任意のパラメータを数値入力するものである点
よって、前記相違点について検討すると、前記ＩＩ４（１）に記したとおり、この相違点は、格別のものではない。
　したがって、本件発明４は、当業者が刊行物１記載の発明に基づいて容易に発明をすることができたものであるから、特許法第２９条第２項の規定により特許を受けることができないものである。
（５）本件発明５について
　パラメータ選択手段の操作により複数のパラメータをディスプレイに一部分づつ順次表示することは、刊行物２に記載されている（前記ＩＩ２（２）▲１▼参照。）。
　また、請求項１〜４については、前記（１）〜（４）に記したとおりである。
　したがって、本件発明５は、当業者が刊行物１記載の発明に基づいて容易に発明をすることができたものであるから、特許法第２９条第２項の規定によ　り特許を受けることができないものである。
（６）本件発明６について
　刊行物１記載の発明において、ディスプレイが、設定項目を複数個同時に表示するものであることは、前記ＩＩ２（１）に認定のとおりである。
　また、請求項２または４については、前記（２）及び（４）に記したとおりである。
　したがって、本件発明６は、当業者が刊行物１記載の発明に基づいて容易に発明をすることができたものであるから、特許法第２９条第２項の規定により特許を受けることができないものである。
　（７）本件発明７について
　刊行物１記載の発明において、初期設定手段が、ディスプレイ上で項目選択手段により選択した項目ごとにパラメータを予め決めたパラメータに選択するものであることは、前記ＩＩ２（１）に認定のとおりである。
　また、請求項２または４については、前記（２）及び（４）に記したとおりである。
　したがって、本件発明７は、当業者が刊行物１記載の発明に基づいて容易に発明をすることができたものであるから、特許法第２９条第２項の規定により特許を受けることができないものである。
（８）本件発明８について
　刊行物１記載の発明が、選択されたパラメータにもとづいてフォーマット設定を変更する登録キーを有するものであることは、前記ＩＩ２（１）に認定のとおりである。
　また、請求項３または４については、前記（３）及び（４）に記したとおりである。
　したがって、本件発明８は、当業者が刊行物１記載の発明に基づいて容易に発明をすることができたものであるから、特許法第２９条第２項の規定により特許を受けることができないものである。
ＩＶ　結び
　以上のとおりであって、本件の請求項１ないし８に係る特許は、いずれも、特許法第２９条第２項の規定に違反してされたものであるから、同法第１１３条第１項第２号に該当する。
　よって、結論のとおり決定する。
【異議決定日】
平成１１年４月９日（１９９９．４．９）